(57)【要約】【課題】より優れた偽造防止効果を実現する。【解決手段】  本発明の印刷物１０は、被印刷物１１と、前記被印刷物１１上に形成され、隙間Ｇ１が設けられた第１印刷パターンＰ１とを具備し、前記第１印刷パターンＰ１とその隙間Ｇ１とからなる第１領域Ｒ１に対する前記隙間Ｇ１のうち前記第１印刷パターンＰ１からの距離が０．１ｍｍ以下である第１部分の面積比は１０％以上であり、前記第１領域Ｒ１に対する前記第１印刷パターンＰ１の面積比は８５％乃至９０％の範囲内にあることを特徴とする。【選択図】      図１
2010042590.tif 000002
【特許請求の範囲】
【請求項１】
被印刷物と、前記被印刷物上に形成され、隙間が設けられた第１印刷パターンとを具備し、前記第１印刷パターンとその隙間とからなる第１領域に対する前記隙間のうち前記第１印刷パターンからの距離が０．１ｍｍ以下である第１部分の面積比は１０％以上であり、前記第１領域に対する前記第１印刷パターンの面積比は８５％乃至９０％の範囲内にあることを特徴とする印刷物。
【請求項２】
前記被印刷物上に形成され、隙間が設けられていない第２印刷パターンを更に具備したことを特徴とする請求項１に記載の印刷物。
【請求項３】
前記被印刷物上に形成され、隙間が設けられた第２印刷パターンを更に具備し、前記第２印刷パターンとその隙間とからなる第２領域に対する前記第２印刷パターンの面積比は、前記第１領域に対する前記第１印刷パターンの面積比と比較してより大きく、前記第２印刷パターンの隙間のうち前記第２印刷パターンからの距離が０．１ｍｍ以下である第２部分以外の部分の前記第２領域に対する面積比は、前記第１印刷パターンの隙間のうち前記第１部分以外の部分の前記第１領域に対する面積比と等しいか又はより小さいことを特徴とする請求項１に記載の印刷物。
【請求項４】
前記第１印刷パターンと前記第１部分とが占める領域は、前記第２印刷パターン又は前記第２印刷パターンと前記第２部分とが占める領域と面積が等しいことを特徴とする請求項２又は３に記載の印刷物。
【請求項５】
前記第１及び第２印刷パターンの各々を複数具備し、肉眼で観察した場合に、前記複数の第１印刷パターンの配列又は前記複数の第２印刷パターンの配列は情報の少なくとも一部を表示することを特徴とする請求項２乃至４の何れか１項に記載の印刷物。
【請求項６】
前記被印刷物上に形成され、各々が網点又は万線を含んだ第３及び第４印刷パターンを更に具備し、前記第３及び第４印刷パターンは、単位領域に占める前記網点又は万線の面積比が互いに等しく且つ１５％乃至２０％の範囲内にあり、前記網点の寸法が異なっているか又は前記万線の線幅が異なっていることを特徴とする請求項２乃至５の何れか１項に記載の印刷物。
【請求項７】
前記第３及び第４印刷パターンの一方は、前記印刷物の電子写真技術又はインクジェット印刷技術による複写物において情報の少なくとも一部を表示する潜像を構成していることを特徴とする請求項６に記載の印刷物。
【請求項８】
前記被印刷物上に形成され、隙間が設けられた第２印刷パターンを更に具備し、前記第２印刷パターンとその隙間とが占める第２領域に対する前記第２印刷パターンの面積比は、前記第１領域に対する前記第１印刷パターンの面積比と等しく、前記第２印刷パターンの隙間は前記第２印刷パターンからの最短距離が０．１ｍｍを超える部分を含み、前記第２印刷パターンの隙間のうち前記第２印刷パターンからの距離が０．１ｍｍ以下である第２部分の前記第２印刷パターンの隙間に対する面積比は、前記前記第１部分の第１印刷パターンの隙間に対する面積比と比較してより小さいことを特徴とする請求項１に記載の印刷物。
【請求項９】
前記第１及び第２印刷パターンの各々を複数具備し、前記複数の第１印刷パターンの配列又は前記複数の第２印刷パターンの配列は、前記印刷物の電子写真技術又はインクジェット印刷技術による複写物において情報の少なくとも一部を表示する潜像を構成していることを特徴とする請求項８に記載の印刷物。
【請求項１０】
前記被印刷物上に形成され、各々が網点又は万線を含んだ第３及び第４印刷パターンを更に具備し、前記第３及び第４印刷パターンは、単位領域に占める前記網点又は万線の面積比が互いに等しく且つ１５％乃至２０％の範囲内にあり、前記網点の寸法が異なっているか又は前記万線の線幅若しくは方位が異なっていることを特徴とする請求項８又は９に記載の印刷物。
【請求項１１】
前記第３及び第４印刷パターンの一方は、前記印刷物の電子写真技術又はインクジェット印刷技術による複写物において情報の少なくとも一部を表示する潜像を構成していることを特徴とする請求項１０に記載の印刷物。
【請求項１２】
前記第２印刷パターンの形状又は前記第２印刷パターンとその隙間とが占める第２領域の形状は、前記第１領域の形状と等しいことを特徴とする請求項２乃至１１の何れか１項に記載の印刷物。
【請求項１３】
前記第１印刷パターンは入れ子状に配置された複数のサブパターンを含んでいることを特徴とする請求項１乃至１２の何れか１項に記載の印刷物。
【請求項１４】
前記複数のサブパターンの各々は円環又は部分的に欠落した円環であることを特徴とする請求項１３に記載の印刷物。
【発明の詳細な説明】
【技術分野】
【０００１】
本発明は、偽造防止技術に関する。
【背景技術】
【０００２】
近年、印刷物の偽造が増加している。そのため、これを抑止すべく、種々の偽造防止技術が開発されている（例えば、特許文献１参照）。
【０００３】
しかしながら、偽造防止技術を適用した印刷物の多くには、その適用が観察者によって比較的悟られ易いという問題がある。偽造防止技術の適用が悟られると、印刷物が不正に複製又は変造される可能性が高くなる。即ち、優れた偽造防止効果を達成できない。
【特許文献１】特開２００５−８８２７６号公報
【発明の開示】
【発明が解決しようとする課題】
【０００４】
そこで、本発明は、より優れた偽造防止効果を実現することを目的とする。
【課題を解決するための手段】
【０００５】
本発明の一側面によると、被印刷物と、前記被印刷物上に形成され、隙間が設けられた第１印刷パターンとを具備し、前記第１印刷パターンとその隙間とからなる第１領域に対する前記隙間のうち前記第１印刷パターンからの距離が０．１ｍｍ以下である第１部分の面積比は１０％以上であり、前記第１領域に対する前記第１印刷パターンの面積比は８５％乃至９０％の範囲内にあることを特徴とする印刷物が提供される。
【発明の効果】
【０００６】
本発明によると、より優れた偽造防止効果を実現することが可能となる。
【発明を実施するための最良の形態】
【０００７】
以下、本発明の態様について、図面を参照しながら詳細に説明する。なお、各図において、同様又は類似した機能を発揮する構成要素には同一の参照符号を付し、重複する説明は省略する。
【０００８】
図１は、本発明の一態様に係る印刷物を概略的に示す拡大平面図である。図２は、図１に示す印刷物の一変形例を概略的に示す拡大平面図である。図３は、図１又は図２に示す印刷物の複写物を概略的に示す拡大平面図である。
【０００９】
印刷物１０は、被印刷物１１と、その上に形成された第１印刷パターンＰ１とを含んでいる。
【００１０】
被印刷物１１の種類には、特に制限はない。被印刷物１１としては、例えば、紙を使用することができる。この紙としては、例えば、アート紙、コート紙若しくは上質紙等の洋紙、コートボール、コートマニラ若しくは両面カード等の板紙又は特殊証券用紙を使用することができる。或いは、被印刷物１１は、プラスチックからなるカード等であってもよい。被印刷物１１は、単層構造を有していてもよく、多層構造を有していてもよい。
【００１１】
被印刷物１１は、明るい色であることが望ましい。ここでは、一例として、被印刷物１１は、白色であるとする。
【００１２】
第１印刷パターンＰ１は、インクを用いて形成する。このインクの種類及び色等には、特に制限はない。但し、典型的には、後述する偽造防止効果を顕著にすべく、黒色又は彩度が比較的低い濁色のインクを使用する。
【００１３】
第１印刷パターンＰ１には、隙間Ｇ１が設けられている。第１印刷パターンＰ１とその隙間Ｇ１とは、第１領域Ｒ１を形成している。隙間Ｇ１のうち第１印刷パターンＰ１からの距離が０．１ｍｍ以下である第１部分の第１領域Ｒ１に対する面積比は、１０％以上である。また、第１領域Ｒ１に対する第１印刷パターンＰ１の面積比は、８５％乃至９０％の範囲内にある。
【００１４】
第１印刷パターンＰ１は、入れ子状に配置された複数のサブパターンを含んでいる。これら複数のサブパターンの各々は、図１では円環であり、図２では部分的に欠落した円環である。なお、図１及び図２には、第１印刷パターンＰ１を拡大して描いているため、サブパターンを互いから識別できるが、実際には、サブパターン間の隙間は狭いため、肉眼でそれらを互いから識別することは困難である。
【００１５】
これら複数のサブパターンの各々は、楕円環又は部分的に欠落した楕円環であってもよい。或いは、これら複数のサブパターンの各々は、閉じた多辺形又は部分的に欠落した多辺形であってもよい。
【００１６】
或いは、第１印刷パターンＰ１は、格子状に形成されてもよい。例えば、第１印刷パターンＰ１は、正方格子状であってもよく、矩形格子状であってもよく、三角格子状であってもよく、六角格子状であってもよい。第１印刷パターンＰ１を構成している格子は、直線により形成されていてもよく、曲線により形成されていてもよい。また、これら直線又は曲線は、部分的に欠落していてもよい。
【００１７】
なお、第１印刷パターンＰ１の一部が部分的に欠落している場合には、この欠落部分内の任意の点から第１印刷パターンＰ１への最短距離は、例えば０．１ｍｍ以下とし、典型的には０．０５ｍｍ以下とする。
【００１８】
第１印刷パターンＰ１は、肉眼で観察すると、隙間が設けられていない印刷パターンと比較してより明るい印刷パターンとして知覚される。即ち、第１印刷パターンＰ１は、肉眼で観察すると、典型的には、隙間が設けられていない暗灰色の印刷パターンと区別がつかない。そのため、印刷物１０に偽造防止技術が適用されていることが悟られ難く、優れた偽造防止効果を達成できる。
【００１９】
図１又は図２に示す印刷物１０を電子写真技術又はインクジェット印刷技術により複写すると、図３に示す複写物２０が得られる。複写物２０は、ブランク媒体２１と、ブランク媒体２１上に形成され且つ第１印刷パターンＰ１に対応した第１複写パターンＣ１とを含んでいる。ブランク媒体２１は、複写すべき情報が記録されていない媒体であり、典型的には、紙である。ここでは、一例として、ブランク媒体２１は、白色の紙であるとする。
【００２０】
第１複写パターンＣ１の形状は、第１印刷パターンＰ１の形状と一致しない。第１複写パターンＣ１の形状は、典型的には、第１印刷パターンＰ１と第１部分とが占める領域に対応した形状となる。即ち、複写時の位置ずれ及びトナー又はインクの滲み等により、第１印刷パターンＰ１に設けられていた隙間が消失するか、又は、その隙間の面積が極めて小さくなる。
【００２１】
それゆえ、第１複写パターンＣ１は、第１印刷パターンＰ１と比較してより暗いパターンとして知覚される。したがって、複写前後の各パターンの明るさを比較することにより、真正品である印刷物１０と非真正品である複写物２０とを互いに識別することができる。即ち、優れた偽造防止効果を達成できる。
【００２２】
第１印刷パターンＰ１とその隙間Ｇ１とからなる第１領域Ｒ１の反射率と、第１複写パターンＣ１又は第１複写パターンＣ１とその隙間とからなる領域の反射率との差は、第１領域Ｒ１に対する第１部分の面積比に依存する。この面積比は、上述した通り、１０％以上とする。より好ましくは、この面積比は、１５％以上とする。この面積比が小さいと、第１印刷パターンＰ１と第１複写パターンＣ１との明るさの差異を知覚することが困難となる場合がある。
【００２３】
また、第１領域Ｒ１の反射率又は明るさは、第１領域Ｒ１に占める第１印刷パターンＰ１の面積比に依存する。この面積比は、上述した通り、８５％乃至９０％の範囲内とする。この面積比が大きいと、第１印刷パターンＰ１と第１複写パターンＣ１とが共に暗いパターンとして知覚され、両者の明るさの差異を知覚することが困難となる場合がある。この面積比が小さいと、第１印刷パターンＰ１と第１複写パターンＣ１とが共に明るいパターンとして知覚され、両者の明るさの差異を知覚することが困難となる場合がある。
【００２４】
なお、第１印刷パターンＰ１として、図２に示すような欠落部分を有するパターンを使用した場合、欠落部分を有しないパターンを使用した場合と比較して、より明るい表示が可能となる。したがって、この場合、第１印刷パターンＰ１と第１複写パターンＣ１との識別が更に容易となり得る。
【００２５】
図１及び図２には、印刷物１０が第１印刷パターンＰ１を１つだけ備えている場合を描いているが、印刷物１０は、複数の第１印刷パターンＰ１を備えていてもよい。例えば、印刷物１０は、規則的に配列された複数の第１印刷パターンＰ１を備えていてもよい。この場合、真正品である印刷物１０と非真正品である複写物２０との識別がより容易となる。
【００２６】
図４は、本発明の他の態様に係る印刷物を概略的に示す拡大平面図である。図５は、図４に示す印刷物の複写物を概略的に示す拡大平面図である。
【００２７】
図４に示す印刷物１０は、被印刷物１１上に形成された第２印刷パターンＰ２を更に備えていること以外は、図１を参照しながら説明した印刷物１０と同様の構成を有している。
【００２８】
第２印刷パターンＰ２は、典型的には、第１印刷パターンＰ１と同色のインク等を用いて形成する。
【００２９】
図４に示す印刷物１０では、第２印刷パターンＰ２は、隙間を有していない。したがって、第２印刷パターンＰ２は、第１印刷パターンＰ１と比較して、より暗いパターンとして知覚される。即ち、この印刷物１０では、第１印刷パターンＰ１と第２印刷パターンＰ２とを互いに判別することができる。
【００３０】
この印刷物１０を電子写真技術又はインクジェット印刷技術により複写して得られる複写物２０は、第１印刷パターンＰ１に対応した第１複写パターンＣ１と、第２印刷パターンＰ２に対応した第２複写パターンＣ２とを含んでいる。第１複写パターンＣ１は、上述した通り、隙間を有さないか又は隙間の大きさが極めて小さい。そのため、第１複写パターンＣ１は、暗いパターンとして知覚される。また、第２複写パターンＣ２は、第２印刷パターンＰ２と同様に、隙間を有さない。そのため、第２複写パターンＣ２も、暗いパターンとして知覚される。したがって、第１複写パターンＣ１と第２複写パターンＣ２とを互いに判別することは、不可能であるか又は極めて困難である。
【００３１】
以上の通り、真正品である印刷物１０と、非真正品である複写物２０とは、互いに異なるパターンを表示する。したがって、両者は、互いに識別可能である。即ち、印刷物１０は、優れた偽造防止効果を有している。
【００３２】
なお、この場合、印刷物１０が第２印刷パターンＰ２を含んでいない場合と比較して、以下の利点がある。即ち、この場合、印刷パターンＰ１及びＰ２を、又は、複写パターンＣ１及びＣ２を、単一の印刷物中で直接的に対比することができる。そのため、印刷物の真正さを、真正品の第１印刷パターンＰ１との比較をすることなしに確認することができる。したがって、真正品である印刷物１０と非真正品である複写物２０との識別がより容易となる。即ち、更に優れた偽造防止効果を達成できる。
【００３３】
図６は、図４に示す印刷物の一変形例を概略的に示す拡大平面図である。図７は、図６に示す印刷物の複写物を概略的に示す拡大平面図である。
【００３４】
図６に示す印刷物１０は、第２印刷パターンＰ２が隙間を有していること以外は、図４に示す印刷物１０と同様の構成を有している。
【００３５】
この例では、第２印刷パターンＰ２とその隙間Ｇ２とからなる第２領域Ｒ２に対する第２印刷パターンＰ２の面積比は、第１領域Ｒ１に対する第１印刷パターンＰ１の面積比と比較してより大きい。即ち、第２印刷パターンＰ２は、第１印刷パターンＰ１と比較してより暗いパターンとして知覚される。そのため、印刷物１０において、第１印刷パターンＰ１と第２印刷パターンＰ２とを、互いに異なるパターンとして知覚できる。
【００３６】
また、第２印刷パターンＰ２の隙間Ｇ２のうち第２印刷パターンＰ２からの距離が０．１ｍｍ以下である第２部分以外の部分の第２領域Ｒ２に対する面積比は、第１印刷パターンＰ１の隙間Ｇ１のうち第１部分以外の部分の第１領域Ｒ１に対する面積比と等しいか又はより小さい。そのため、第２複写パターンＣ２は、第１複写パターンＣ１と明るさが等しいか又はより暗いパターンとして知覚される。そして、上述したように、第１複写パターンＣ１は、暗いパターンとして知覚される。即ち、第１複写パターンＣ１と第２複写パターンＣ２とは、共に暗いパターンとして知覚される。したがって、第１複写パターンＣ１と第２複写パターンＣ２とを判別することは、不可能であるか又は極めて困難である。
【００３７】
以上の通り、図６に示す印刷物１０では、第１印刷パターンＰ１と第２印刷パターンＰ２との明るさの差を直接的に対比することにより、両パターンを判別することができる。これに対し、複写物２０では、第１複写パターンＣ１と第２複写パターンＣ２とを互いに判別することは、不可能であるか又は極めて困難である。したがって、真正品である印刷物１０と非真正品である複写物２０とを互いに識別することができる。
【００３８】
図４乃至図７を参照しながら説明した印刷物１０では、第１印刷パターンＰ１と第１部分とからなる領域の面積と、第２印刷パターンＰ２と第２部分とからなる領域の面積とを互いに等しくしてもよい。この場合、第１複写パターンＣ１の面積と第２複写パターンＣ２の面積とが略同一となるため、これら複写パターンの明るさの差異がより小さくなる。そのため、両者の判別が更に困難となり、より優れた偽造防止効果が達成できる。
【００３９】
なお、図４及び図６を参照しながら説明した第１印刷パターンＰ１と、図４を参照しながら説明した第２印刷パターンＰ２と、図６を参照しながら説明した第２印刷パターンＰ２とは、互いに明るさが異なる。そのため、これら印刷パターンは、互いに判別可能である。即ち、これらパターンを組み合わせれば、印刷物１０において、３階調からなる表示をすることができる。
【００４０】
図８は、図４又は図６に示す構成を利用して得られる印刷物の一例を概略的に示す平面図である。図９は、図８に示す印刷物の複写物を概略的に示す平面図である。
【００４１】
この印刷物１０は、複数の第１印刷パターンＰ１及び複数の第２印刷パターンＰ２を備えている。これら印刷パターンＰ１及びＰ２の各々としては、先に図１乃至図７を参照しながら説明した各印刷パターンを使用する。
【００４２】
これらパターンは、典型的には、規則的に配列されている。そして、複数の第１印刷パターンＰ１の配列又は複数の第２印刷パターンＰ２の配列は、典型的には、印刷物１０が有する情報の少なくとも一部を表示する。即ち、比較的明るい複数の第１印刷パターンＰ１と比較的暗い複数の第２印刷パターンＰ２との対比により、文字及び図形等の情報を表示することができる。図８には、一例として、複数の第２印刷パターンＰ２の配列が、文字「Ａ」を表す情報を表示している場合を描いている。
【００４３】
図８に示す印刷物１０では、大部分の第１印刷パターンＰ１は、入れ子状に配置された複数の円環を備えたパターンである。一方、大部分の第２印刷パターンＰ２は、内部に隙間を有さない円からなるパターンである。そして、これら第１印刷パターンＰ１の外周を形成している円環の直径と、これら第２印刷パターンＰ２を構成する円の直径とは、互いに等しい。
【００４４】
また、図８に示す印刷物１０は、これら第１印刷パターンＰ１の配列と第２印刷パターンＰ２の配列との境界において、一部が第１印刷パターンＰ１からなり、残部が第２印刷パターンＰ２からなるパターンを含んでいる。このパターンの外周を形成している円の半径は、上述した印刷パターンＰ１及びＰ２における円環又は円の半径と等しい。
【００４５】
この印刷物１０を電子写真技術又はインクジェット印刷技術により複写すると、図９に示すような複写物２０が得られる。この複写物２０は、複写パターンＣ１及びＣ２からなる。上述した通り、複写パターンＣ１及びＣ２は、互いに判別することが不可能であるか又は極めて困難である。したがって、印刷物１０を複写すると、印刷物１０において印刷パターンＰ１とＰ２との対比により表示されていた情報は、消失するか又は知覚することが極めて困難となる。そのため、この情報の表示の有無又はその視認性の差異を調べることにより、真正品である印刷物１０と非真正品である複写物２０とを互いに識別することができる。
【００４６】
図１０は、図８に示す印刷物の一変形例を概略的に示す平面図である。図１１は、図１０に示す印刷物の一部を拡大して示す平面図である。図１２は、図１１に示す印刷物の複写物を概略的に示す平面図である。
【００４７】
図１０及び図１１に示す印刷物１０は、図８を参照しながら説明した第１印刷パターンＰ１及び第２印刷パターンＰ２に加えて、被印刷物１１上に形成され、各々が網点含んだ第３印刷パターンＰ３及び第４印刷パターンＰ４を更に備えている。図１０及び図１１に示す印刷物１０では、複数の第２印刷パターンＰ２の配列は、図８に示す印刷物１０と同様に、文字「Ａ」を表す情報を表示している。また、この印刷物１０では、第３印刷パターンＰ３は、図１２に示すように、印刷物１０の電子写真技術又はインクジェット印刷技術による複写物２０において文字「Ｂ」を表す情報を表示する潜像を形成している。これについて、以下に詳細に説明する。
【００４８】
各網点の形状には、特に制限はない。典型的には、各網点は、一定の半径を有した円形状とする。
【００４９】
これら印刷パターンＰ３及びＰ４は、単位領域に占める網点の面積比が互いに等しく且つ１５％乃至２０％の範囲内となるように形成する。そのため、この印刷物１０のうち第３印刷パターンＰ３を形成した領域Ｒ３と第４印刷パターンＰ４を形成した領域Ｒ４とは、明るさが等しく、互いに判別することが不可能であるか又は極めて困難である。
【００５０】
また、第３印刷パターンＰ３と第４印刷パターンＰ４とでは、網点の寸法が異なっている。具体的には、第３印刷パターンＰ３を構成している網点の寸法は、第４印刷パターンＰ４を構成している網点の寸法と比較してより大きい。第３印刷パターンＰ３は、網点の寸法が比較的大きいため、電子写真技術又はインクジェット印刷技術による複写によって再現され易い。第４印刷パターンＰ４は、網点の寸法が比較的小さいため、電子写真技術又はインクジェット印刷技術による複写によって再現され難い。したがって、これら印刷パターンＰ３及びＰ４を電子写真技術又はインクジェット印刷技術により複写すると、図１２に示すように、複写物２０には、領域Ｒ３に対応した領域Ｒ３’と、領域Ｒ４に対応した領域Ｒ４’とが互いに判別可能に形成される。即ち、反射率が異なる領域Ｒ３’及び領域Ｒ４’が得られる。
【００５１】
このように、図１０及び図１１に示す印刷物１０は、複数の印刷パターンＰ２の配列によって、情報「Ａ」を表示している。そして、この印刷物１０を複写すると、図１２に示すように、複数の第２印刷パターンＰ２の配列により表示されていた文字情報「Ａ」は消失し、第３印刷パターンＰ３による潜像としての文字情報「Ｂ」が可視化する。したがって、この印刷物１０を真正品とすると、真正品と非真正品との識別を極めて容易に行うことが可能となる。
【００５２】
第４印刷パターンＰ４を構成している網点の１ドット当りの面積に対する第３印刷パターンＰ３を構成している網点の１ドット当りの面積の比は、例えば、５乃至７の範囲内とする。この値が小さいと、領域Ｒ３’と領域Ｒ４’とが互いに判別され難くなる場合がある。この値が大きいと、領域Ｒ３と領域Ｒ４とが互いに判別され易くなる場合がある。
【００５３】
印刷パターンＰ３及びＰ４は、典型的には、印刷パターンＰ１及びＰ２と重なるように形成されている。この場合、印刷パターンＰ３及びＰ４が印刷パターンＰ１及びＰ２と重ならないように形成されている場合と比較して、印刷パターンＰ３とＰ４とを判別することがより困難となる。それゆえ、印刷パターンＰ３及びＰ４の一方が潜像を形成している場合、その潜像の存在がより悟られ難い。
【００５４】
印刷パターンＰ１及びＰ２間には、印刷パターンＰ３及びＰ４を視認可能とすべく隙間を設ける。印刷パターンＰ１及びＰ２間の最短距離は、典型的には、０．１ｍｍ乃至０．２ｍｍの範囲内とする。この距離が小さいと、複写パターンＣ３及びＣ４の対比により表示される像を知覚することが困難となる場合がある。一方、この距離が大きいと、潜像を形成している印刷パターンＰ３及びＰ４の存在が悟られ易くなる場合がある。また、印刷パターンＰ１又はＰ２の配列により情報を表示することが困難となる場合がある。
【００５５】
なお、印刷パターンＰ３及び／又はＰ４は、網点の代わりに、万線により形成されていてもよい。万線を構成する線は、直線であってもよく、曲線であってもよい。印刷パターンＰ３及びＰ４の双方が万線を含んでいる場合、両パターンでは、例えば、万線の線幅が異なっている。
【００５６】
図１３は、本発明の他の態様に係る印刷物を概略的に示す拡大平面図である。図１４は、図１３に示す印刷物の複写物を概略的に示す拡大平面図である。
【００５７】
図１３に示す印刷物１０は、被印刷物１１と、その上に形成された第１印刷パターンＰ１及び第２印刷パターンＰ２とを備えている。なお、第２印刷パターンＰ２には、隙間Ｇ２が設けられている。
【００５８】
第２印刷パターンＰ２とその隙間Ｇ２とは、第２領域Ｒ２を形成している。この第２領域Ｒ２に対する第２印刷パターンＰ２の面積比は、第１領域Ｒ１に対する第１印刷パターンＰ１の面積比と等しい。即ち、この印刷物１０を肉眼で観察した場合、両者の明るさは互いに等しい。したがって、印刷パターンＰ１とＰ２とを互いに判別することは、不可能であるか又は極めて困難である。
【００５９】
第２印刷パターンＰ２の隙間Ｇ２は、第２印刷パターンＰ２からの最短距離が０．１ｍｍを超える部分を含んでいる。また、隙間Ｇ２のうち第２印刷パターンＰ２からの距離が０．１ｍｍ以下である第２部分の隙間Ｇ２に対する面積比は、上記第１部分の隙間Ｇ１に対する面積比と比較してより小さい。
【００６０】
この場合、第２印刷パターンＰ２を複写してなる第２複写パターンＣ２は、第１印刷パターンＰ１を複写してなる第１複写パターンＣ１と比較してより明るい。そのため、複写パターンＣ１とＣ２とを互いに判別することができる。即ち、真正品である印刷物１０では、印刷パターンＰ１及びＰ２を互いに判別することが不可能であるか又は極めて困難であるのに対し、非真正品である複写物２０では、複写パターンＣ１及びＣ２を互いに判別することが可能である。したがって、真正品と非真正品との識別を容易に行うことができる。
【００６１】
図１５は、図１３に示す構成を利用して得られる印刷物の一例を概略的に示す平面図である。図１６は、図１５に示す印刷物の複写物を概略的に示す平面図である。
【００６２】
図１５に示す印刷物１０は、印刷パターンＰ１及びＰ２の各々を複数備えていること以外は、図１３に示した印刷物１０と同様の構成を有している。
【００６３】
印刷パターンＰ１又はＰ２の配列は、典型的には、印刷物１０の電子写真技術又はインクジェット印刷技術による複写物２０において情報の少なくとも一部を表示する潜像を構成している。図１６には、一例として、この潜像が文字「Ｔ」を表す情報を表示する場合を示している。
【００６４】
真正品である印刷物１０においては、印刷パターンＰ１及びＰ２を互いに判別することが不可能であるか又は極めて困難であるため、これらパターンの配列は、視認可能な像を構成しない。一方、非真正品である複写物２０においては、複写パターンＣ１及びＣ２を互いに判別することが可能であるため、複写パターンＣ１又はＣ２の配列は、視認可能な像を形成する。即ち、印刷物１０を複写することにより、印刷パターンＰ１又はＰ２の配列が形成していた潜像が可視化する。これにより、真正品と非真正品とを容易に識別することが可能となる。
【００６５】
図１７は、図１５に示す印刷物の一変形例を概略的に示す平面図である。図１８は、図１７に示す印刷物の複写物を概略的に示す平面図である。
【００６６】
この印刷物１０は、図１５を参照しながら説明した印刷パターンＰ１及びＰ２に加えて、上述した印刷パターンＰ３及びＰ４を更に含んでいる。印刷パターンＰ３及びＰ４の一方は、典型的には、印刷物１０の電子写真技術又はインクジェット印刷技術による複写物２０において情報の少なくとも他の一部を表示する潜像を構成している。図１８では、一例として、この潜像が文字「Ｐ」を表す情報を表示する場合を描いている。
【００６７】
この場合、真正品である印刷物１０においては、印刷パターンＰ１とＰ２とを互いに判別することは、不可能であるか又は極めて困難である。また、上述した通り、領域Ｒ３と領域Ｒ４とを互いに判別することも、不可能であるか又は極めて困難である。一方、非真正品である複写物２０においては、複写パターンＣ１とＣ２とを互いに判別することが可能である。更には、領域Ｒ３’と領域Ｒ４’とを互いに判別することも可能である。
【００６８】
したがって、図１８に示すように、非真正品である複写物２０において、２種類の潜像を同時に可視化することができる。そのため、真正品と非真正品との識別が更に容易となる。
【実施例】
【００６９】
＜例１：サンプルＡの製造＞
印刷物１０の一例として、図８を参照しながら説明した印刷物１０を製造した。各印刷パターンＰ１及びＰ２は、黒色のインクにより形成した。第１印刷パターンＰ１の各々は、入れ子状に配置された複数の円環からなるパターンとした。第２印刷パターンＰ２の各々は、ベタ状の円とした。そして、第１印刷パターンＰ１の最外周を構成している円環の半径及び第２印刷パターンＰ２を構成している円の半径は、共に２．５ｍｍとした。なお、各パターン間の最短距離は、０．１５ｍｍとした。即ち、各パターンの縦及び横方向の配列についての送りピッチは、共に２．６５ｍｍとした。また、第１印刷パターンＰ１の各々が含んでいる円環の本数は、７本とした。
【００７０】
ここで、各円環の半径方向の幅Ｌ１と各円環に挟まれた隙間の半径方向の幅Ｌ２との比Ｌ１／Ｌ２は、第１領域Ｒ１に対する第１印刷パターンＰ１の面積比が９５％となるように定めた。以下、このようにして得られた印刷物を「サンプルＡ」と呼ぶ。なお、この場合、第１領域Ｒ１に対する第１部分の面積比は、５％であった。
【００７１】
＜例２：サンプルＢの製造＞
比Ｌ１／Ｌ２を第１領域Ｒ１に対する第１印刷パターンＰ１の面積比が９０％となるように定めたこと以外は、サンプルＡについて述べたのと同様にして、印刷物を製造した。以下、この印刷物を「サンプルＢ」と呼ぶ。なお、この場合、第１領域Ｒ１に対する第１部分の面積比は、１０％であった。
【００７２】
＜例３：サンプルＣの製造＞
比Ｌ１／Ｌ２を第１領域Ｒ１に対する第１印刷パターンＰ１の面積比が８５％となるように定めたこと以外は、サンプルＡについて述べたのと同様にして、印刷物を製造した。以下、この印刷物を「サンプルＣ」と呼ぶ。なお、この場合、第１領域Ｒ１に対する第１部分の面積比は、１５％であった。
【００７３】
＜例４：サンプルＤの製造＞
比Ｌ１／Ｌ２を第１領域Ｒ１に対する第１印刷パターンＰ１の面積比が８０％となるように定めたこと以外は、サンプルＡについて述べたのと同様にして、印刷物を製造した。以下、この印刷物を「サンプルＤ」と呼ぶ。なお、この場合、第１領域Ｒ１に対する第１部分の面積比は、２０％であった。
【００７４】
＜例５：サンプルＥの製造＞
比Ｌ１／Ｌ２を第１領域Ｒ１に対する第１印刷パターンＰ１の面積比が７５％となるように定めたこと以外は、サンプルＡについて述べたのと同様にして、印刷物を製造した。以下、この印刷物を「サンプルＥ」と呼ぶ。なお、この場合、第１領域Ｒ１に対する第１部分の面積比は、２５％であった。
【００７５】
＜例６：サンプルＦの製造＞
比Ｌ１／Ｌ２を第１領域Ｒ１に対する第１印刷パターンＰ１の面積比が７０％となるように定めたこと以外は、サンプルＡについて述べたのと同様にして、印刷物を製造した。以下、この印刷物を「サンプルＦ」と呼ぶ。なお、この場合、第１領域Ｒ１に対する第１部分の面積比は、３０％であった。
【００７６】
＜印刷物と複写物との識別性＞
まず、サンプルＡ乃至Ｆが表示している情報の視認性を調べた。具体的には、２０人の被験者にサンプルＡ乃至Ｆの各々を観察させ、文字「Ａ」の表示の知覚し易さを評価させた。
【００７７】
次に、サンプルＡ乃至Ｆの各々を、カラーコピー機を用いて複写した。そして、各サンプルに対応した複写物について、文字「Ａ」の表示の知覚し難さを評価させた。
【００７８】
これらの結果を表１に示す。
【表１】
2010042590.tif 000003
【００７９】
表１から分かるように、サンプルＢ乃至Ｆでは、文字「Ａ」の表示が明確に知覚できた。一方、サンプルＡでは、印刷パターンＰ１とＰ２との濃度差が小さく、両者が共に暗いパターンとして認識され、当該表示を知覚することは困難であった。
【００８０】
また、サンプルＡ乃至Ｃの複写物では、文字「Ａ」の表示を明確に知覚することができなくなった。一方、サンプルＤ乃至Ｆの複写物では、第１印刷パターンＰ１に対応した第１複写パターンＣ１が明るいパターンとして、第２印刷パターンＰ２に対応した第２複写パターンＣ２が暗いパターンとして視認され、当該表示を知覚することが可能であった。
【００８１】
以上の通り、サンプルＢ及びＣでは、複写により、文字「Ａ」の表示を消滅させることができた。即ち、これらサンプルでは、優れた偽造防止効果を達成することができた。
【００８２】
なお、表１から分かるように、サンプルＡ乃至Ｆの各々で、文字「Ａ」の表示の視認性が異なっている。このことから、上記の比Ｌ１／Ｌ２等を変化させることにより、異なる明るさの表示を行うことができることが分かる。したがって、比Ｌ１／Ｌ２等を互いに異ならしめた印刷パターンを併用することにより、図１３を参照しながら説明した印刷物１０を製造することが可能である。
【００８３】
＜例７：サンプルＧの製造＞
印刷物１０の他の例として、図１１を参照しながら説明した印刷物１０を製造した。印刷パターンＰ１及びＰ２は、サンプルＣについて説明したのと同様の構成とした。印刷パターンＰ３及びＰ４の各々は、網点により構成した。印刷パターンＰ３及びＰ４は、第３印刷パターンＰ３が複写物において文字「Ｂ」なる情報を表示できるように形成した。
【００８４】
単位領域に占める網点の面積比は、両パターン共に、１５％とした。第４印刷パターンＰ４を構成している網点の１ドット当りの面積Ｓ４に対する第３印刷パターンＰ３を構成している網点の１ドット当りの面積Ｓ３の比Ｓ３／Ｓ４は、５．１４とした。
【００８５】
＜例８：サンプルＨの製造＞
単位領域に占める網点の面積比を１８％としたこと以外は、サンプルＧについて述べたのと同様にして、印刷物を製造した。以下、この印刷物を「サンプルＨ」と呼ぶ。
【００８６】
＜例９：サンプルＩの製造＞
単位領域に占める網点の面積比を２０％としたこと以外は、サンプルＧについて述べたのと同様にして、印刷物を製造した。以下、この印刷物を「サンプルＩ」と呼ぶ。
【００８７】
＜例１０：サンプルＪの製造＞
単位領域に占める網点の面積比を２５％としたこと以外は、サンプルＧについて述べたのと同様にして、印刷物を製造した。以下、この印刷物を「サンプルＪ」と呼ぶ。
【００８８】
＜例１１：サンプルＫの製造＞
単位領域に占める網点の面積比を３０％としたこと以外は、サンプルＧについて述べたのと同様にして、印刷物を製造した。以下、この印刷物を「サンプルＫ」と呼ぶ。
【００８９】
＜印刷物と複写物との識別性＞
まず、サンプルＧ乃至Ｋにおける印刷パターンＰ３の視認性を調べた。具体的には、２０人の被験者にサンプルＧ乃至Ｋの各々を観察させ、文字「Ｂ」の表示が知覚可能であるかを評価させた。
【００９０】
次に、サンプルＧ乃至Ｋの各々を、カラーコピー機を用いて複写した。そして、各サンプルに対応した複写物について、文字「Ｂ」の表示の知覚し易さを評価させた。
【００９１】
これらの結果を表２に示す。
【表２】
2010042590.tif 000004
【００９２】
表２から分かるように、サンプルＧ乃至Ｋでは、文字「Ｂ」の表示を知覚することは、不可能であるか又は極めて困難であった。特に、サンプルＧ乃至Ｉでは、サンプルＪ及びＫと比較して、文字「Ｂ」の表示を知覚することがより困難であった。
【００９３】
また、サンプルＧ乃至Ｋの複写物では、文字「Ｂ」の表示を知覚することができた。特に、サンプルＧ乃至Ｉの複写物では、サンプルＪ及びＫの複写物と比較して、文字「Ｂ」の表示が遥かに明瞭であった。即ち、これら複写物においては、第３印刷パターンＰ３により構成された潜像を、明瞭に可視化することができた。
【００９４】
以上の通り、サンプルＧ乃至Ｋでは、複写により、第３印刷パターンＰ３が形成している潜像を可視化させることが可能であった。即ち、これらサンプルでは、優れた偽造防止効果を達成することができた。
【図面の簡単な説明】
【００９５】
【図１】本発明の一態様に係る印刷物を概略的に示す拡大平面図。
【図２】図１に示す印刷物の一変形例を概略的に示す拡大平面図。
【図３】図１又は図２に示す印刷物の複写物を概略的に示す拡大平面図。
【図４】本発明の他の態様に係る印刷物を概略的に示す拡大平面図。
【図５】図４に示す印刷物の複写物を概略的に示す拡大平面図。
【図６】図４に示す印刷物の一変形例を概略的に示す拡大平面図。
【図７】図６に示す印刷物の複写物を概略的に示す拡大平面図。
【図８】図４又は図６に示す構成を利用して得られる印刷物の一例を概略的に示す平面図。
【図９】図８に示す印刷物の複写物を概略的に示す平面図。
【図１０】図８に示す印刷物の一変形例を概略的に示す平面図。
【図１１】図１０に示す印刷物の一部を拡大して示す平面図。
【図１２】図１１に示す印刷物の複写物を概略的に示す平面図。
【図１３】本発明の他の態様に係る印刷物を概略的に示す拡大平面図。
【図１４】図１３に示す印刷物の複写物を概略的に示す拡大平面図。
【図１５】図１３に示す構成を利用して得られる印刷物の一例を概略的に示す平面図。
【図１６】図１５に示す印刷物の複写物を概略的に示す平面図。
【図１７】図１５に示す印刷物の一変形例を概略的に示す平面図。
【図１８】図１７に示す印刷物の複写物を概略的に示す平面図。
【符号の説明】
【００９６】
１０…印刷物、１１…被印刷物、２０…複写物、２１…ブランク媒体、Ｐ１…第１印刷パターン、Ｐ２…第２印刷パターン、Ｇ１…隙間、Ｇ２…隙間、Ｒ１…第１領域、Ｒ２…第２領域、Ｃ１…第１複写パターン、Ｃ２…第２複写パターン、Ｒ３…領域、Ｒ３’…領域、Ｒ４…領域、Ｒ４’…領域。
【図１】
2010042590.tif 000005
【図２】
2010042590.tif 000006
【図３】
2010042590.tif 000007
【図４】
2010042590.tif 000008
【図５】
2010042590.tif 000009
【図６】
2010042590.tif 000010
【図７】
2010042590.tif 000011
【図８】
2010042590.tif 000012
【図９】
2010042590.tif 000013
【図１０】
2010042590.tif 000014
【図１１】
2010042590.tif 000015
【図１２】
2010042590.tif 000016
【図１３】
2010042590.tif 000017
【図１４】
2010042590.tif 000018
【図１５】
2010042590.tif 000019
【図１６】
2010042590.tif 000020
【図１７】
2010042590.tif 000021
【図１８】
2010042590.tif 000022